(57)【要約】【課題】  斜面の上で体を振り回す運動を実施可能で、斜面の角度を調整可能で、多種の使用方法を簡易に切換え実施可能である傾斜可能なトレーニングボードを提供する。【解決手段】  基座１０と蓋部２０を備え、基座１０は、複数の固定凹部１１１が設けられた最上面１１及び、旋転可能な円盤部１３が設けられた底面１２を有する。蓋部２０は、基座１０の第一枢接部１１２の上に設けられ、外表面２１及び内表面２２を有し、外表面２１の上にはかかと支持部２４が設けられ、内表面２２の第二枢接部には内へ旋転する状態と外へ旋転する状態の間に旋転可能な支持部２３が設けられる。支持部２３を内へ旋転させる状態では、支持部２３をほぼ内表面に接触させることが可能であるため、蓋部２０はほぼ水平状態を呈し、また支持部２３を外へ旋転させる状態で、所定の固定凹部１１１に挿入可能であることで、蓋部２０は所定の傾斜角度を有する。【選択図】    図４
0003104411.tif 000002
【実用新案登録請求の範囲】
【請求項１】
最上面及び底面を有し、最上面の上には複数の固定凹部が設けられ、底面には底面から突出し旋転可能な円盤部が設けられている基座と、
基座の第一枢接部の上に設けられ、外表面及び内表面を有し、外表面の上にはかかと支持部が設けられ、内表面の第二枢接部には内へ旋転する状態と外へ旋転する状態の間に旋転可能な支持部が設けられている蓋部とを備え、
支持部を内へ旋転させる状態のとき、支持部はほぼ内表面に接触し、蓋部がやや水平状態を呈し、
支持部を外へ旋転させる状態のとき、所定の固定凹部に挿入可能であり、蓋部が所定の傾斜角度を有することを特徴とする傾斜可能なトレーニングボード。
【請求項２】
基座の底面の上には、収納孔及び伸長を調整可能な支持ユニットが少なくとも三つ設けられることを特徴とする請求項１に記載の傾斜可能なトレーニングボード。
【請求項３】
収納孔は、ねじ孔であり、支持ユニットはボルトであり、円盤部を地面に接触または地面から離すことが可能であることを特徴とする請求項２に記載の傾斜可能なトレーニングボード。
【請求項４】
基座の向かい合う両側縁の上には一対のフック部が設けられ、フック部はフック凹部及びフック棒部を有し、少なくとも一つの弾性コードを連接することを特徴とする請求項２に記載の傾斜可能なトレーニングボード。
【考案の詳細な説明】
【技術分野】
【０００１】
本考案は、トレーニングボードに関する。
【背景技術】
【０００２】
図１は伝統的なトレーニングボードの立体図を示す。固定底ボード９１及び旋転可能な水平旋転ボード９２を有することで、使用者は両足で水平旋転ボード９２上に立って体を振り回す運動または肢体をあわせる運動をすることが可能である。例えば、使用者は左、右に体を振り回し、両足の位置が図２Ａと図２Ｂに示すようにすることで、要望の運動効果を達成することが可能である。
【考案の開示】
【考案が解決しようとする課題】
【０００３】
しかしながら、このような伝統的なトレーニングボードの欠点は、遂げられる動作があまり変化に乏しいことである。それは左または右に体を振り回す運動しかできず、運動の変化が少なく、あまりに単調だからである。
【０００４】
そして、使用者は両足で水平表面の上に立つだけで、ふくらはぎのストレッチ運動がないため、運動効果が限定される。
【０００５】
したがって本考案の目的は、斜面の上で体を振り回す運動を実施可能な傾斜可能なトレーニングボードを提供することにある。
【０００６】
本考案のもう一つの目的は、斜面の角度を調整可能な傾斜可能なトレーニングボードを提供することにある。
【０００７】
本考案のもう一つの目的は、四種の使用方法が簡易に切り換え可能で、変化が多い傾斜可能なトレーニングボードを提供することにある。
【課題を解決するための手段】
【０００８】
上述の目的を達成するために、本考案の請求項に記載の傾斜可能なトレーニングボードは、基座と蓋部を備えるものである。
基座は、最上面及び底面を有し、最上面の上に複数の固定凹部が設けられ、底面に底面を突出しかつ旋転可能な円盤部が設けられる。
【０００９】
蓋部は、基座の第一枢接部の上に設けられ、外表面及び内表面を有し、外表面の上にはかかと支持部が設けられ、内表面の第二枢接部には内へ旋転する状態と外へ旋転する状態の間に旋転可能な支持部が設けられる。そして支持部を内へ旋転させる状態では、支持部をほぼ内表面に接触させることが可能であるため、蓋部はほぼ水平状態を呈し、また支持部を外へ旋転させる状態で、所定の固定凹部に挿入可能であることで、蓋部は所定の傾斜角度を有する。
【考案を実施するための最良の形態】
【００１０】
以下、本考案の実施例を図面に基づいて説明する。
図３、図４に示すように、本考案の実施例による傾斜可能なトレーニングボードは、基座１０及び蓋部２０を備える。
【００１１】
基座１０は、最上面１１及び底面１２を有し、最上面１１の上に複数の固定凹部１１１（または凹溝）が設けられ、底面１２にやや底面１２を突出しかつ旋転可能な円盤部１３が設けられる。そのうちの基座１０の底面１２上には、少なくとも四つの収納孔１２１（例えばねじ孔）を有することで、互いに対応しかつ伸長を調整可能な支持ユニット１５（例えばボルト）を挿入することが可能である。
【００１２】
蓋部２０は、基座１０の第一枢接部１１２の上に設けられる。蓋部２０は外表面２１及び内表面２２を有し、外表面２１に使用者の両足を置くものである。外表面２１の上にはかかと支持部２４（滑り止め）が設けられる。図４に示すように内表面２２の第二枢接部２２１上には所定の角度により旋転可能な支持部２３が設けられ、内へ旋転する状態と外へ旋転する状態（図４の仮想の線により示す）の間で旋転可能である。支持部２３を内へ旋転させる状態では、支持部２３を内表面２２にほぼ接触（接近）させることが可能であるため、蓋部２０は図３に示すようにほぼ水平状態を呈する。また支持部２３を外へ旋転させる状態で、支持部２３の外縁を所定の固定凹部１１１に挿入可能とすることで、蓋部２０は図５及び図６に示すように所定の傾斜角度閘（使用者をその上に立たせる所定の斜面を形成するため）を有する。また支持ユニット１５は、調整可能であるため、円盤部１３を地面に接触させるか地面から離すことが可能である。
【００１３】
使用者には、本考案により下記のように数種の使用実施方法がある。
第一の使用方法は、図５に示すように、蓋部２０を開けて支持部２３を立て一対の適当な固定凹部１１１中（選択可能な所定の固定凹部１１１）に挿入することにより、傾斜角度閘を形成し、一定の距離Ｈにより円盤部１３を地面から離すことである。円盤部１３が持ち上げられ、全体の基座１０と蓋部２０が動かず固定されるため、使用者は両足で蓋部２０の上に立つ場合、まるで斜面に立つようでふくらはぎのストレッチ作用が生じ、また身体または四肢をあわせて運動すれば効果を更にあげることが可能である。
【００１４】
第二の使用方法は、図６に示すように、蓋部２０を開けて支持部２３を立て一対の適当な固定凹部１１１中（選択可能な所定の固定凹部１１１）に挿入することにより、傾斜角度閘を形成し、支持ユニット１５を互いに対応する収納孔１２１中に締めることにより円盤部１３を地面に接触させる。これで基座１０全体と蓋部２０は旋転可能である。使用者は両足で蓋部２０の上に立つ場合、まるで斜面に立つようで、同時に左右に体を振り回し旋転させることが可能で、また身体または四肢をあわせて運動すれば変化が多くなり、効果を更にあげることが可能である。
【００１５】
第三の使用方法は、図３に示すように蓋部２０を開けないまま円盤部１３を地面から少しだけ離すことである。使用者は固定のトレーニングマットとして、リズム体操またはエアロビクスをあわせて使用することが可能である。
第四の使用方法は、上述の図３に示すような構造中の支持ユニット１５を互いに対応する収納孔１２１中に締めることで、円盤部１３を地面に直接に接触させる（図６の円盤部１３参照）。基座１０全体と蓋部２０は旋転可能で、伝統的なトレーニングボードによる基本の効果を有する。
【００１６】
また図７に示すように、基座１０の向かい合う両側縁の上には一対のフック部１６（図７に二つ中の一つだけ表示される）が設けられる。すべてのフック部１６はフック凹部１６１及びフック棒部１６２を有することで、一つ（または複数）の弾性コード８０を連接する。言い換えれば、弾性コード８０のフック８１をフック棒部１６２上に連結することが可能である。したがって使用者は弾性コード８０の他端を手で握って腕の運動が可能である。
【００１７】
上述をまとめてみると、本考案の実施例の長所及び効果は下記の通りである。
斜面で体を振り回す運動が行えること。本考案の実施例は支持部２３を適当な固定凹部１１１中に挿入することにより、所定の傾斜角度を有する蓋部を形成し、使用者にふくらはぎのストレッチ効果を与え、ほかの運動をあわせて効果をさらにあげることが可能である。
【００１８】
斜面を調整可能であること。本考案の実施例は支持部２３と複数の固定凹部１１１を組合せることにより、所定の斜度を形成し、異なる使用者の需要に応じることが可能である。
【００１９】
四種の使用方法を簡易に切り換える可能であること。本考案の実施例は四種の使用方法があり、切り換えが簡易であるため、使用に便利なものである。
以上、実施例に基づいて本考案を説明したものであるが、本発明の実施範囲を制限することがない。本考案の実施例により均等な変化と修飾をするのは、本考案の範囲に属するべきである。
【図面の簡単な説明】
【００２０】
【図１】伝統的なトレーニングボードを示す立体図である。
【図２Ａ】伝統的なトレーニングボードで左右に振り回す動作を示す図である。
【図２Ｂ】伝統的なトレーニングボードで左右に振り回す動作を示す図である。
【図３】本考案の実施例による傾斜可能なトレーニングボードを示し、さらに、本実施例の第三の使用方法の状態を示す側面図である。
【図４】本考案の実施例による傾斜可能なトレーニングボードを示す立体図である。
【図５】本考案の実施例による傾斜可能なトレーニングボードの第一の使用方法を示す図である。
【図６】本考案の実施例による傾斜可能なトレーニングボードの第二の使用方法を示す図である。
【図７】本考案の実施例による傾斜可能なトレーニングボードのフック部を示す図である。
【符号の説明】
【００２１】
１０  基座、１１  最上面、１２  底面、１３  円盤部、１５  支持ユニット、１６  フック部、２０  蓋部、２１  外表面、２２  内表面、２３  支持部、２４  かかと支持部、８０  弾性コード、８１  フック、１１１  固定凹部、１１２  第一枢接部、１２１  収納孔、１６１  フック凹部、１６２  フック棒部
【図１】
0003104411.tif 000003
【図２Ａ】
0003104411.tif 000004
【図２Ｂ】
0003104411.tif 000005
【図３】
0003104411.tif 000006
【図４】
0003104411.tif 000007
【図５】
0003104411.tif 000008
【図６】
0003104411.tif 000009
【図７】
0003104411.tif 000010